(57)【要約】【課題】  軒樋を後から取り付けたり交換したりする作業を容易におこなうことができる上に、野地板先端や鼻隠し板上部への雨水の浸入を防ぐことが可能な軒先構造を提供する。【解決手段】  吊具１１によって支持された軒樋２に向けて屋根先端部から垂下する水切り材１２が配設される軒先構造１０である。  そして、水切り材１２の前記屋根先端部付近には屈曲自在な屈曲連結部１２３が設けられると共に吊具１１からの離隔を防ぐためにビス１３で吊具１１に固定されている。【選択図】  図１
2007023479.tif 000002
【特許請求の範囲】
【請求項１】
吊具によって支持された軒樋に向けて屋根先端部から垂下する水切り材が配設される軒先構造であって、前記水切り材の前記屋根先端部付近には屈曲自在な屈曲部が設けられると共に前記吊具からの離隔を防ぐ浮上り防止部材が備えられていることを特徴とする軒先構造。
【請求項２】
前記屈曲部は、前記水切り材を波形に成形した波形屈曲部であることを特徴とする請求項１に記載の軒先構造。
【請求項３】
前記屈曲部は、前記水切り材を上部と下部とに分割して屈曲可能に連結した屈曲連結部であることを特徴とする請求項１に記載の軒先構造。
【請求項４】
前記水切り材の上部は、屋根の表面を形成する屋根仕上材を設置する野地板に固定される部材であって、前記上部の固定部よりも前記軒樋方向に前記屋根仕上材方向に突起する水返し部が設けられていることを特徴とする請求項３に記載の軒先構造。
【請求項５】
前記水切り材の上部は、屋根の表面を形成する屋根仕上材を設置する野地板に固定される部材であって、前記野地板先端付近に前記屋根仕上材方向に突起する凸部が設けられていることを特徴とする請求項３又は４に記載の軒先構造。
【請求項６】
前記浮上り防止部材は、前記吊具上に配設される錘部材であって、前記水切り材の先端上に該錘部材を配設したことを特徴とする請求項１乃至５のいずれかに記載の軒先構造。
【請求項７】
前記浮上り防止部材は、前記水切り材を貫通して前記吊具に定着させる止め具であることを特徴とする請求項１乃至５のいずれかに記載の軒先構造。
【請求項８】
前記屈曲部は、前記吊具の固定位置よりも高い位置に設けられたことを特徴する請求項１乃至７のいずれかに記載の軒先構造。
【発明の詳細な説明】
【技術分野】
【０００１】
本発明は、軒樋や水切り材等を備えた家屋の軒先構造に関するものである。
【背景技術】
【０００２】
従来、図９に示すような家屋の軒先構造１が知られている（特許文献１，２など参照）。
【０００３】
この軒先構造１は、瓦や折板などの屋根仕上材７と、その屋根仕上材７を設置する傾斜面に形成された野地板６と、その野地板６の表面を被覆するアスファルトルーフィングなどの防水層８と、家屋の壁の上縁に設けられる鼻隠し板５とによって主に家屋側が構成されている。
【０００４】
また、この鼻隠し板５には軒樋２を屋根先端部付近に設置させるための吊具３及び固定具３ａが、屋根先端部の水平延設方向（図９の図面奥行き方向）に間隔を置いて複数取り付けられており、その吊具３に長尺部材である軒樋２を取り付けて支持させる。
【０００５】
さらに、野地板６の先端からこの軒樋２に向けて鋼板などによって形成された水切り材４が、野地板６や鼻隠し板５の前方に張り出すように配置されている。
【０００６】
この水切り材４の張り出しが小さいと、軒樋２で跳ね返った雨水が野地板６や鼻隠し板５を濡らして汚したり腐食させたりするおそれがあるため、野地板６先端や鼻隠し板５の上部を覆うような長さの水切り材４を取り付けるのが好ましい。
【０００７】
しかし、このような長い水切り材４は、吊具３を取り付ける固定具３ａをビス３ｂ，・・・で鼻隠し板５に固定した後に取り付けられるものであって、逆の手順では水切り材４が障害になって固定具３ａを取り付けることができないか、又は固定具３ａの取り付け位置を水切り材４と干渉しないような下方に移動させるしかない。
【０００８】
一方、ユニット建物の軒先構造１の構築においては、野地板６に水切り材４を固定し、防水層８を設けて屋根仕上材７を設置するまでを工場でおこなうことがある。
【特許文献１】特開平９−８８２７６号公報
【特許文献２】特開平６−１０８５９７号公報
【発明の開示】
【発明が解決しようとする課題】
【０００９】
しかしながら、従来の図９に示すような鋼板で一体に成形された水切り材４を先に取り付けた場合に、後から軒樋２を屋根先端部に近接させて取り付けようとすれば、一旦、水切り材４を撤去して軒樋２を取り付けなければならず手間がかかる。
【００１０】
また、劣化などが原因で軒樋２の交換が必要になった場合にも、水切り材４を取り外してからでなければ軒樋２を交換することができず、手間がかかる上に軒先構造の防水性能をこの取外し作業によって劣化させるおそれがある。
【００１１】
そこで、本発明は、軒樋を後から取り付けたり交換したりする作業を容易におこなうことができる上に、野地板先端や鼻隠し板上部への雨水の浸入を防ぐことが可能な軒先構造を提供することを目的としている。
【課題を解決するための手段】
【００１２】
前記目的を達成するために、本発明は、吊具によって支持された軒樋に向けて屋根先端部から垂下する水切り材が配設される軒先構造であって、前記水切り材の前記屋根先端部付近には屈曲自在な屈曲部が設けられると共に前記吊具からの離隔を防ぐ浮上り防止部材が備えられている軒先構造であることを特徴とする。
【００１３】
ここで、前記屈曲部は、前記水切り材を波形に成形した波形屈曲部とすることができる。
【００１４】
また、前記屈曲部を、前記水切り材を上部と下部とに分割して屈曲可能に連結した屈曲連結部とすることもできる。
【００１５】
この際、前記水切り材の上部は、屋根の表面を形成する屋根仕上材を設置する野地板に固定される部材であって、前記上部の固定部よりも前記軒樋方向に前記屋根仕上材方向に突起する水返し部を設けることができる。
【００１６】
さらに、前記水切り材の上部は、屋根の表面を形成する屋根仕上材を設置する野地板に固定される部材であって、前記野地板先端付近に前記屋根仕上材方向に突起する凸部を設けることもできる。
【００１７】
また、前記浮上り防止部材は、前記吊具上に配設される錘部材であって、前記水切り材の先端上に該錘部材を配設して浮上りを防止することができる。
【００１８】
また、前記浮上り防止部材は、前記水切り材を貫通して前記吊具に定着させる止め具とすることもできる。
【００１９】
そして、上記発明のいずれかにおいて、前記屈曲部は、前記吊具の固定位置よりも高い位置に設けることが好ましい。
【発明の効果】
【００２０】
このように構成された本発明は、前記水切り材の前記屋根先端部付近には屈曲自在な屈曲部が設けられており、前記吊具を取り付ける際に水切り材が障害になるような場合は、前記水切り材を前記屈曲部から折り曲げて前記吊具の取り付け作業をおこなうことができる。
【００２１】
さらに、水切り材の先端が配置される前記吊具には、吊具からの離隔を防ぐ浮上り防止部材が備えられているので、風によって前記水切り材の先端が浮き上ってばたつきが発生するのを抑えることができる。
【００２２】
ここでこの屈曲部を、水切り材を波形に成形した波形屈曲部とすれば、連続した継ぎ目のない水切り材を一枚の板材で容易に製作することができる。
【００２３】
また、前記水切り材を上部と下部とに分割して屈曲可能に連結した屈曲連結部を前記屈曲部とすることで、板厚の厚い部材を水切り材として使用することが可能になったり、屈曲角度を大きくしたり、上部を先に取り付けておいて後から下部を取り付ける構成にしたりすることができるようになる。
【００２４】
また、前記水切り材の上部を野地板に固定する固定部よりも軒樋方向に水返し部を設けることで、ビス穴などが形成された固定部からの雨水の浸入を遮って野地板が腐食するのを防ぐことができる。
【００２５】
さらに、前記水切り材の上部には、前記野地板先端付近に前記屋根仕上材方向に突起する凸部を設けることによって、屋根先端部の屋根仕上材のがたつきを抑えることができる。
【００２６】
また、浮上り防止部材として、軒樋の中に枯葉やゴミなどが入るのを防ぐために配置されるネット部材などを錘部材に使用すれば、水切り材が風で浮き上ることによって生じるがたつきを抑えることができる。
【００２７】
さらに、浮上り防止部材として、ビスやボルト等の前記水切り材を貫通して前記吊具に定着させる止め具を使用することができるので、容易に水切り材の浮き上りを防止することができる。
【００２８】
そして、前記屈曲部を前記吊具の固定位置よりも高い位置に設けておけば、前記固定位置を完全に露出させることができるので、施工性が向上する。
【発明を実施するための最良の形態】
【００２９】
以下、本発明の最良の実施の形態について図面を参照して説明する。なお、前記従来例と同一乃至均等な部分については、同一符号を付して説明する。
【００３０】
図１は、本実施の形態の軒先構造１０の構成を示した図である。
【００３１】
まず、構成から説明すると、このような本実施の形態の軒先構造１０は、瓦や折板などの屋根仕上材７と、その屋根仕上材７を設置する傾斜面に形成された野地板６と、その野地板６の表面を被覆するアスファルトルーフィングなどの防水層８と、家屋の壁の上縁に設けられる鼻隠し板５とによって主に家屋側が構成されている。
【００３２】
また、この鼻隠し板５には軒樋２を屋根先端部付近に設置させるための吊具１１が、屋根先端部の水平延設方向（図１の図面奥行き方向）に間隔を置いて複数取り付けられており、その吊具１１に軒樋２を取り付けて支持させる。
【００３３】
さらに、野地板６の先端からこの軒樋２に向けてアルミ板又は鋼板などによって形成された水切り材１２が、野地板６の先端や鼻隠し板５の上部を覆うように配置されている。
【００３４】
この水切り材１２は、野地板６側に配置される上部１２１と軒樋２側に配置される下部１２２とによって構成され、上部１２１と下部１２２とは屈曲部としての屈曲連結部１２３によって屈曲自在に連結されている。
【００３５】
この水切り材１２の上部１２１は、図２の断面図に示すように、野地板６と屋根仕上材７との間に介在させる部分とその先端から折れ下がる部分とから構成され、この折れ下がった下端には鉤型の係止部１２１ａが形成されている。
【００３６】
また、この上部１２１には、屋根先端部側から凸部１２１ｄ、小型の水返し部１２１ｃ，１２１ｃ、大型の水返し部１２１ｂ、及びビス打込み部１２１ｅが設けられている。
【００３７】
この凸部１２１ｄは、図２に示すように上部１２１の上面から上方に枝状に分岐して野地板６と屋根仕上材７との隙間を埋めるもので、特に瓦などを屋根仕上材７として使用する場合に、屋根先端部に配置される通常より短い瓦と野地板６との間に発生し易い隙間を確実に埋めてがたつきの発生を抑えることができる。
【００３８】
さらに、水返し部１２１ｂ，１２１ｃは、野地板６と屋根仕上材７との隙間を遡上する水を跳ね返すために、軒樋２側が突起する断面視直角三角形状に形成されている。
【００３９】
そして、大型の水返し部１２１ｂの背後にはビス１６を打ち込むための窪みがビス打込み部１２１ｅとして設けられ、ここにビス１６を打ち込むことで上部１２１を野地板６に固定させる。
【００４０】
また、水切り材１２の下部１２２には、図１に示すように上端に鉤型の係止部１２２ａが形成され、この係止部１２２ａを上部１２１の係止部１２１ａに引っ掛けることによって屈曲可能な屈曲連結部１２３が形成される。
【００４１】
さらに、下部１２２が吊具１１に当接する辺りに、浮上り防止部材としてのビス１３を打ち込み、下部１２２の浮き上りを防止する。
【００４２】
また、下部１２２の下端１２２ｂには、錘部材（浮上り防止部材）としてのネット部材１４を連結させ、その重みによって下部１２２のがたつきを防止する。
【００４３】
ここで、軒樋２は吊具１１によって支持されることになるが、吊具１１は水切り材１２によって吊り下げられる構成となっているため、吊具１１の固定部１１ａの下端側の位置にだけビス１５を打ち込んで吊具１１を固定すればよい。
【００４４】
次に、本実施の形態の軒先構造１０の作用について説明する。
【００４５】
このように構成された軒先構造１０は、水切り材１２の屋根先端部付近には屈曲自在な屈曲連結部１２３が設けられており、吊具１１を取り付ける際に水切り材１２が障害になるような場合は、水切り材１２を屈曲連結部１２３から折り曲げて吊具１１の取り付け作業をおこなうことができる。
【００４６】
このため、ユニット建物のように水切り材１２、防水層８及び屋根仕上材７の取り付けを工場でおこなう場合であっても、建築現場で容易に軒樋２を取り付けることができる。
【００４７】
また、軒樋２が劣化したり破損したりして交換が必要になった場合も、容易に交換作業をおこなうことができる。
【００４８】
さらに、軒樋２を屋根先端部に近づけて配設できるようになるので、吊具１１を取り付ける鼻隠し板５を小さくすることができ、意匠の自由度が広がる上に材料費を削減することも可能になる。
【００４９】
また、鼻隠し板５の上部が水切り材１２で覆われて雨水の跳ね返りを遮ることができるので、野地板６や屋根仕上材７の張り出し量を小さくすることができる。
【００５０】
また、鋼板やアルミ板などの板状の部材によって水切り材１２を構成すれば、長期間使用しても変形や劣化が少なく、耐久性に優れた軒先構造１０を形成することができる。
【００５１】
さらに、水切り材１２を上部１２１と下部１２２とに分割し、屈曲連結部１２３によって連結する構成とすることで、板厚を厚くして耐久性を上げたり、安価な鋼板を使用したりすることが出来るようになる。
【００５２】
また、水切り材１２の先端が配置される吊具１１には、浮上り防止部材としてのビス１３やネット部材１４が備えられているので、風によって水切り材１２の下端１２２ｂが浮き上るのを抑えることができる。
【００５３】
また、水切り材１２の上部１２１をビス１６で固定した固定部よりも軒樋２方向に水返し部１２１ｂ，１２１ｃを設けることで、ビス１６穴が形成された固定部からの雨水の浸入を遮って野地板６が腐食するのを防ぐことができる。
【００５４】
さらに、水切り材１２の上部１２１には、野地板６先端付近となる位置に屋根仕上材７方向に突起する凸部１２１ｄを設けることによって、屋根先端部の屋根仕上材７のがたつきを抑えることができる。
【００５５】
また、ユニット建物を構築する場合は、工場において野地板６に水切り材１２を固定して、さらにその上に防水層８及び屋根仕上材７が設けられることになるので、分割された水切り材１２の上部１２１だけ予め工場で取り付けておいて、下部１２２は工場又は建築現場のいずれで取り付けるようにしてもよい。
【００５６】
このように後から下部１２２を取り付けるようにすれば、施工中の水切り材１２のばたつきを抑えることができると共に、吊具１１の取付け作業の効率を向上させることができる。
【００５７】
また、軒樋２の中に枯葉やゴミなどが入るのを防ぐために配置されるネット部材１４を錘部材として使用すれば、水切り材１２が風で浮き上ることによって生じるがたつきを抑えることができる。
【００５８】
さらに、浮上り防止部材としてのビス１３を水切り材１２の下部１２２に貫通させて吊具１１に定着させれば、容易に水切り材１２の浮き上りを防止することができる。
【００５９】
また、図１に示すように屈曲連結部１２３を吊具１１の固定位置（ビス１５の打ち込み位置）よりも高い位置に設けておけば、水切り材１２を屈曲させて固定位置を完全に露出させることができるので、施工性が向上する。
【００６０】
また、軒樋２は、屋根先端部の水平延設方向（図１の図面奥行き方向）に水勾配を設けて設置されるため、場所によって屋根先端部と軒樋２との距離が変化することになるが、屈曲自在の水切り材１２の下端付近をビス１３やネット部材１４などで押さえる構成であれば、高さ方向の調整が容易になるため所望する水勾配を設けることが容易にできる。
【実施例１】
【００６１】
以下、前記した実施の形態の実施例１について説明する。なお、前記実施の形態で説明した内容と同一乃至均等な部分の説明については同一符号を付して説明する。
【００６２】
前記実施の形態の軒先構造１０では、浮上り防止部材としてのビス１３（図１参照）の打ち込み形態については特に詳述しなかったのでこの実施例１において説明する。
【００６３】
図３は、軒先構造２０に配設される水切り材２２の浮上り防止部材としてのビス２３の打ち込み位置を説明する図であって、図３（ａ）は断面図、図３（ｂ）は（ａ）のＡ−Ａ線方向からみた正面図である。
【００６４】
この軒先構造２０に配設される水切り材２２は、図３（ａ）に示すように野地板６側に配置される上部２２１と軒樋２側に配置される下部２２２とによって構成され、上部２２１と下部２２２は屈曲連結部２２３によって屈曲自在に連結されている。
【００６５】
また、軒樋２を取り付ける吊具２１は、ビス２４によって鼻隠し板５に固定されると共に、軒樋２側に張り出した水切り材２２の下部２２２が当接する付近には、図３（ｂ）に示すように水平方向に拡幅された翼部２１ａ，２１ａが形成されている。
【００６６】
この翼部２１ａ，２１ａに対して止め具としてのビス２３，２３を水切り材２２側から打ち込んで、水切り材２２の下部２２２と吊具２１とを連結する。
【００６７】
このように水切り材２２を複数のビス２３，２３で吊具２１に固定させることで、ビス２３，２３だけでも充分に水切り材２２のばたつきを抑えることができる。
【００６８】
なお、他の構成及び作用効果については、前記実施の形態と略同様であるので説明を省略する。
【実施例２】
【００６９】
以下、実施例２について図４を参照しながら説明する。なお、前記実施の形態又は実施例で説明した内容と同一乃至均等な部分の説明については同一符号を付して説明する。
【００７０】
前記実施の形態では、屈曲連結部１２３によって上部１２１と下部１２２とを連結した水切り材１２について説明したが、この実施例２では屈曲部を波形屈曲部３２ａとした水切り材３２について説明する。
【００７１】
この水切り材３２は、平板状のアルミ板又は鋼板の途中を波形に成形することによって、軒樋２方向に波打つと共に屋根先端部の水平延設方向（図４の図面奥行き方向）に連続して延伸される波形屈曲部３２ａを設けたものである。
【００７２】
この波形屈曲部３２ａは、水切り材３２を取り付けた野地板６の先端から飛び出た位置に配置されており、図４に示すように波形屈曲部３２ａで屈曲させて水切り材３２の下端を上方に持ち上げれば、吊具３１の固定位置を露出させることができる。
【００７３】
また、軒樋２を取り付けた後は、ビス３４などの浮上り防止部材によって水切り材３２の下端付近を吊具３１に固定させる。
【００７４】
このように実施例２の構成によれば波形屈曲部３２ａ近くの鼻隠し板５を容易に露出させることができるので、吊具３１の下部にビス３３Ｂを打ち込めるだけでなく、上部にもビス３３Ａを打ち込めるようになる。
【００７５】
このように吊具３１の上部と下部をビス３３Ａ，３３Ｂで固定するようにすれば、吊具３１の左右をビスで固定する場合に比べてビスのサイズを下げたり数を減らしたりすることができるので経済的である。
【００７６】
また、一枚の水切り材３２によって野地板６先端と鼻隠し板５上部とが覆われるように構成することで、図４に示すように野地板６や屋根仕上材７の先端の鼻隠し板５からの張り出し量を小さくしても雨水で濡らして汚したり腐食させたりすることを防ぐことができる。
【００７７】
なお、他の構成及び作用効果については、前記実施の形態又は実施例１と略同様であるので説明を省略する。
【実施例３】
【００７８】
以下、実施例３について図５を参照しながら説明する。なお、前記実施の形態又は実施例で説明した内容と同一乃至均等な部分の説明については同一符号を付して説明する。
【００７９】
この実施例３の軒先構造４０に配設される水切り材４２は、前記実施例２で説明した水切り材３２と同様に、波形屈曲部４２ａを屈曲自在の屈曲部として設けたものである。
【００８０】
この水切り材４２は、実施例２の水切り材３２よりも短いものであって、下端が吊具４１に当接していない。
【００８１】
そして、この水切り材４２の下端には浮上り防止部材としてのネット部材４４が配設されており、このネット部材４４が錘部材となって水切り材４２の下端を押さえて浮き上りを防ぐことができる。
【００８２】
また、この実施例３においても、水切り材４２を波形屈曲部４２ａで屈曲させて下端を持ち上げることで、吊具４１の固定位置となるビス４３Ａ，４３Ｂの打ち込み位置を露出させることができる。
【００８３】
このように、軒樋２に枯葉やゴミなどが侵入するのを防ぐために軒樋２に沿って延設される円筒状のネット部材４４を、水切り材４２の錘部材として利用して先端の浮き上りによるばたつきを抑えることができるので、新たに必要となる部品数を少なくすることができ経済的である。
【００８４】
なお、他の構成及び作用効果については、前記実施の形態又は他の実施例と略同様であるので説明を省略する。
【実施例４】
【００８５】
以下、実施例４について図６を参照しながら説明する。なお、前記実施の形態又は実施例で説明した内容と同一乃至均等な部分の説明については同一符号を付して説明する。
【００８６】
この実施例４では、水切り材５２の下端を軒樋２の吊具５１に係止させるように構成された軒先構造５０について説明する。
【００８７】
この水切り材５２は、野地板６と屋根仕上材７との間に配置される平板状の上部５２１と、軒樋２側に垂下する下部５２２と、上部５２１と下部５２２とを屈曲自在に連結する屈曲連結部５２３とによって形成される。
【００８８】
この屈曲連結部５２３は、ヒンジ状に上部５２１と下部５２２とを屈曲自在に連結するものであって、上部５２１と下部５２２は連結によって一体になる。
【００８９】
また、この下部５２２の下端には、鉤型の係止部５２２ａが設けられ、この係止部５２２ａと対になる鉤型の係止部５１ａが吊具５１側にも設けられていて、この一対の係止部５２２ａ，５１ａによって浮上り防止部材が構成される。
【００９０】
さらに、この吊具５１側の係止部５１ａを、家屋から離れる方向に間隔をおいて複数設けておくことで、軒樋２の水勾配による水切り材５２との距離の変化に屈曲連結部５２３の屈曲角度を変えて対応させることができる。
【００９１】
このように一体の水切り材５２によって吊具５１を吊下げる構成とすれば、吊具５１に支持させる荷重を増やすことができるので、鼻隠し板５に打ち込むビス５３の数を少なくしても軒樋２を支持させることができる。
【００９２】
なお、他の構成及び作用効果については、前記実施の形態又は他の実施例と略同様であるので説明を省略する。
【実施例５】
【００９３】
以下、実施例５について図７を参照しながら説明する。なお、前記実施の形態又は実施例で説明した内容と同一乃至均等な部分の説明については同一符号を付して説明する。
【００９４】
この実施例５では、前記した実施例４と同様にヒンジ形の屈曲連結部６２３によって上部６２１と下部６２２とを連結した水切り材６２が配設された軒先構造６０について説明する。
【００９５】
この実施例５では、吊具６１を鼻隠し板５に取り付ける固定部の高さ方向の位置調整が可能な可動固定部６１ａが設けられている。
【００９６】
この吊具６１には、水切り材６２の下端に形成された鉤型の係止部６２２ａと対になる係止部６１ｂが設けられており、この一対の係止部６２２ａ，６１ｂによって浮上り防止部材が構成される。
【００９７】
また、この係止部６１ｂを先端に設けた金具は、可動固定部６１ａの蝶ネジ６１ｃを回すと家屋・軒樋２方向（図７の図面左右方向）に移動できるように構成されており、この係止部６１ｂの位置によってこれに係止させる水切り材６２の下部６２２の傾きを変えることができる。
【００９８】
そして、屋根先端部から垂下する水切り材６２の下端の係止部６２２ａに、吊具６１の係止部６１ｂを引っ掛けて吊具６１が水切り材６２によって吊下げられる位置まで吊具６１を下げ、可動固定部６１ａの蝶ネジ６１ｃを締めて鼻隠し板５に押し付けて吊具６１を固定する。
【００９９】
このように一体の水切り材６２によって吊具６１を吊下げる構成とすれば、鼻隠し板５に対する定着力が小さくても軒樋２を支持させることができる上に、可動固定部６１ａで調整することによって軒樋２と水切り材６２との相対的な位置関係を軒樋２の水勾配に合わせた最適な状態にすることができる。
【０１００】
なお、他の構成及び作用効果については、前記実施の形態又は他の実施例と略同様であるので説明を省略する。
【実施例６】
【０１０１】
以下、実施例６について図８を参照しながら説明する。なお、前記実施の形態又は実施例で説明した内容と同一乃至均等な部分の説明については同一符号を付して説明する。
【０１０２】
この実施例６では、前記した実施例４又は実施例５と同様にヒンジ形の屈曲連結部７２３によって上部７２１と下部７２２とを連結した水切り材７２が配設された軒先構造７０について説明する。
【０１０３】
この水切り材７２の下部７２２の下端には鉤型の係止部７２２ａが形成され、この係止部７２２ａと対になる鉤型の係止部７１ａが上端に設けられた調整ネジ棒７１ｃが吊具７１を貫通して配置され、その調整ネジ棒７１ｃには下方から蝶ネジ７１ｂを螺入して吊具７１の下面を支持させる。
【０１０４】
そして、この一対の係止部７２２ａ，７１ａによって水切り材７２先端の浮上り防止部材が構成される。
【０１０５】
さらに、この蝶ネジ７１ｂを回して上下させると、吊具７１上面と係止部７１ａとの距離、換言すれば係止部７１ａの突出量を変えることができるので、水切り材７２の係止部７２２ａに係止部７１ａを係合させた後に蝶ネジ７１ｂを回して吊具７１の高さを調整し、鼻隠し板５にビス７３を打ち込んで吊具７１を固定すればよい。
【０１０６】
また、図８に示すように野地板６を屋根仕上材７よりも突出させた部分に配置される水切り材７２の上部７２１には、上方に突出する突起部７２１ａを設けておき、その突起部７２１にネット７４の一側を係留し、他側を吊具７１の先端に係留することで、軒樋２の上面を覆うネット７４を容易に張ることができる。
【０１０７】
このように一体の水切り材７２によって吊具７１を吊下げる構成とすれば、鼻隠し板５に打ち込むビス７３の数を少なくしても軒樋２を支持させることができる上に、蝶ネジ７１ｂを回して高さを調整することによって吊具７１と水切り材７２との相対的な位置関係を軒樋２の水勾配に合わせた最適な状態にすることができる。
【０１０８】
なお、他の構成及び作用効果については、前記実施の形態又は他の実施例と略同様であるので説明を省略する。
【０１０９】
以上、図面を参照して、本発明の最良の実施の形態を詳述してきたが、具体的な構成は、この実施の形態に限らず、本発明の要旨を逸脱しない程度の設計的変更は、本発明に含まれる。
【０１１０】
例えば、前記実施の形態では、鉤型の係止部１２１ａ，１２２ａを組み合わせて屈曲連結部１２３を形成したが、これに限定されるものではなく、一方の係止部が半円形、他方の係止部がその半円形を屈曲可能に収容する半円二重構造にして両者を組み合わせることで屈曲連結部を構成することもできる。
【図面の簡単な説明】
【０１１１】
【図１】本発明の最良の実施の形態の軒先構造の構成を示した断面図である。
【図２】本発明の最良の実施の形態の水切り材の上部の構成を示した断面図である。
【図３】実施例１の軒先構造の構成を示した図であって、（ａ）は断面図、（ｂ）は（ａ）のＡ−Ａ線方向から見た正面図である。
【図４】実施例２の軒先構造の構成を示した断面図である。
【図５】実施例３の軒先構造の構成を示した断面図である。
【図６】実施例４の軒先構造の構成を示した断面図である。
【図７】実施例５の軒先構造の構成を示した断面図である。
【図８】実施例６の軒先構造の構成を示した断面図である。
【図９】従来の軒先構造の構成を示した断面図である。
【符号の説明】
【０１１２】
２            軒樋
６            野地板
７            屋根仕上材
１０,２０，３０，４０，５０，６０，７０    軒先構造
１１,２１，３１，４１，５１，６１，７１    吊具
１２,２２，３２，４２，５２，６２，７２    水切り材
１２１，２２１，５２１，６２１，７２１      上部
１２２，２２２，５２２，６２２，７２２      下部
１２３，２２３，５２３，６２３，７２３      屈曲連結部（屈曲部）
１２１ｂ，１２１ｃ                          水返し部
１２１ｄ                                    凸部
１２１ｅ                                    ビス打込み部（上部の固定部）
１３，２３，３４                    ビス（浮上り防止部材，止め具）
１４，４４                          ネット部材（浮上り防止部材、錘部材）
３２ａ，４２ａ                              波形屈曲部（屈曲部）
５１ａ，５２２ａ                            係止部（浮上り防止部材）
６１ｂ，６２２ａ                            係止部（浮上り防止部材）
７１ａ，７２２ａ                            係止部（浮上り防止部材）
【図１】
2007023479.tif 000003
【図２】
2007023479.tif 000004
【図３】
2007023479.tif 000005
【図４】
2007023479.tif 000006
【図５】
2007023479.tif 000007
【図６】
2007023479.tif 000008
【図７】
2007023479.tif 000009
【図８】
2007023479.tif 000010
【図９】
2007023479.tif 000011